(57)【要約】【課題】複数の発光管と点灯回路とをより効率的に接続することができる光源装置及び該光源装置を備えた映像表示装置を提供する。【解決手段】バックライトシャーシ５０と、バックライトシャーシ５０の表側に並置されており、電極端子５１ａを有する複数の冷陰極蛍光管５１と、バックライトシャーシ５０の裏側に配されており、電力を供給して冷陰極蛍光管５１を発光させる点灯回路５３ａを有する点灯回路基板５３とを備える光源装置に、複数の冷陰極蛍光管５１の電極端子５１ａを夫々嵌着する複数の嵌着凹部５４ａを有し、複数の冷陰極蛍光管５１及び点灯回路基板５３間を中継ぎして冷陰極蛍光管５１へ電力を供給する中継基板５４を備え、中継基板５４を挿通する挿通孔５０ｃをバックライトシャーシ５０に設け、挿通孔５０ｃを挿通した中継基板５４と点灯回路基板５３とを接続する接続部を中継基板５４及び点灯回路基板５３に設ける。【選択図】図１
2008135226.tif 000002
【特許請求の範囲】
【請求項１】
平皿状のシャーシの表側に並置されており、電極端子を有する複数の発光管と、前記シャーシの裏側に配されており、電力を供給して前記発光管を点灯させる点灯回路を有する点灯回路基板とを備える光源装置において、
前記複数の発光管の電極端子を夫々嵌着する複数の嵌着凹部を有し、前記複数の発光管及び前記点灯回路基板間を中継ぎして、前記点灯回路から前記発光管へ電力を供給する中継基板を備え、
前記シャーシは、
前記中継基板を挿通する挿通孔を有しており、
前記中継基板及び前記点灯回路基板は、
前記挿通孔を挿通した前記中継基板と前記点灯回路基板とを接続する接続部を備える
ことを特徴とする光源装置。
【請求項２】
前記発光管は端部に電極端子を有する略円筒状をなし、
前記中継基板は略矩形をなし、前記複数の嵌着凹部は前記中継基板の前記表側に並設され、前記接続部は前記中継基板の前記裏側に設けられている
ことを特徴とする請求項１に記載の光源装置。
【請求項３】
前記シャーシは、
前記挿通孔を挿通した前記中継基板を係止する係止爪を備え、
前記中継基板は、
前記係止爪に係止される被係止部を備える
ことを特徴とする請求項１又は請求項２に記載の光源装置。
【請求項４】
前記挿通孔を覆う覆体を備える
ことを特徴とする請求項１乃至請求項３のいずれか一つに記載の光源装置。
【請求項５】
前記中継基板と前記シャーシとの間に介装された絶縁体を備える
ことを特徴とする請求項１乃至請求項４のいずれか一つに記載の光源装置。
【請求項６】
前記発光管を保持する保持具を前記シャーシの表側に備える
ことを特徴とする請求項１乃至請求項５のいずれか一つに記載の光源装置。
【請求項７】
請求項１乃至請求項６のいずれか一つに記載の光源装置と、
映像を表示する映像表示パネルと
を備え、
前記光源装置は、
前記映像表示パネルを背面側から照明するようにしてある
ことを特徴とする映像表示装置。
【発明の詳細な説明】
【技術分野】
【０００１】
本発明は、平皿状のシャーシの表側に並置されており、電極端子を有する複数の発光管と、シャーシの裏側に配されており、電力を供給して発光管を発光させる点灯回路を有する点灯回路基板とを備える光源装置及び該光源装置を備えた映像表示装置に関する。
【背景技術】
【０００２】
映像を表示する液晶パネル及び該液晶パネルを背面側から照明するバックライト装置を備えた映像表示装置が実用化されている。
【０００３】
図１４は、従来のバックライト装置を模式的に示す正面図、図１５は、従来のバックライト装置の組立工程を示す模式図である。バックライト装置は、平皿状のシャーシ１５０を備えている。シャーシ１５０の正面側には、長手方向が横方向になるように複数の直管型の冷陰極蛍光管（CCFL:cold cathode fluorescent lamp）５１が上下方向に等間隔で並設されている。シャーシ１５０の背面側には、点灯回路基板１５３が配されている。点灯回路基板１５３は、複数の冷陰極蛍光管５１を点灯させるための点灯回路１５３ａ、例えばインバータ回路を有している。
隣り合う２本の冷陰極蛍光管５１の一端側の電極端子同士は配線で接続されており、疑似Ｕ字型の蛍光管を構成している。また、他端側の２つの電極端子５１ａには、図１５に示すように夫々メスコネクタ７の配線７ａ，７ｂが半田付けされている。メスコネクタ７は、シャーシ１５０の側壁に形成された孔部１５０ｃを挿通し、背面側に引き回されて点灯回路基板１５３に配設されたオスコネクタ１５３ｂに接続されている。
また、前記バックライト装置は、冷陰極蛍光管５１を位置決め及び支持する蛍光管支持部１５２と、表面に反射シートが配されたシャーシ１５０とを一体形成してある。
【０００４】
このように構成されたバックライト装置においては、各冷陰極蛍光管５１は、点灯回路１５３ａによるインバータ駆動にて点灯する。
また、蛍光管支持部１５２にて冷陰極蛍光管５１を位置決めすることにより、冷陰極蛍光管５１の位置ばらつきによる輝度むらを改善することができる。
更に、蛍光管支持部１５２とシャーシ１５０とを一体形成することにより、装置全体における工数削減を図ることができる。
【特許文献１】特開２００１−２１５４９７号公報
【発明の開示】
【発明が解決しようとする課題】
【０００５】
しかしながら、特許文献１に係るバックライト装置の組立工程においては、位置決め等に関する工数削減が図られているが、冷陰極蛍光管５１と点灯回路１５３ａとを接続する際、図１５（ａ）に示すようにメスコネクタ７の２本の配線７ａ，７ｂを隣り合う２本の電極端子５１ａに夫々半田付けし、図１５（ｂ）に示すようにメスコネクタ７を孔部１５０ｃに挿通させ、次いで図１５（ｃ）に示すようにメスコネクタ７をシャーシ１５０の背面側に引き回してオスコネクタ１５３ｂに接続する必要があり、冷陰極蛍光管５１と点灯回路１５３ａとを接続する作業工程は依然として煩雑であるという問題があった。
【０００６】
また、上述の問題は、映像表示装置の大型化に伴って冷陰極蛍光管５１の本数が増加する程、組立工数が増加するため、より深刻なものとなる。例えば、冷陰極蛍光管５１を１８本備えたバックライト装置を組み立てる場合、上述の工程を９回も繰り返す必要がある。なお、特許文献１には上述の問題の解決方法を示唆する記載はない。
【０００７】
本発明は、斯かる事情に鑑みてなされたものであり、発光管の電極端子を嵌着する嵌着凹部を有し、複数の発光管及び点灯回路基板間を中継ぎして点灯回路から発光管へ電力を供給する中継基板を備え、シャーシには、中継基板を挿通する挿通孔を設け、中継基板及び点灯回路基板には、中継基板及び点灯回路を接続するための接続部を備えることにより、従来の光源装置に比べ、複数の発光管と点灯回路とをより効率的に接続することができる光源装置及び該光源装置を備えた映像表示装置を提供することを目的とする。
【０００８】
本発明の他の目的は、中継基板をシャーシに固定するための係止爪をシャーシに備え、係止爪に係止される被係止部を中継基板に備えることにより、より安定的に中継基板をシャーシに備えることができる光源装置及び該光源装置を備えた映像表示装置を提供することにある。
【０００９】
本発明の他の目的は、挿通孔を覆う覆体を備えることにより、塵埃がシャーシの背面側から挿通孔を通じて正面側へ侵入することを防ぐことができる光源装置及び該光源装置を備えた映像表示装置を提供することにある。
【００１０】
本発明の他の目的は、中継基板とシャーシとの間に介装された絶縁体を備えることにより、中継基板及びシャーシの間隔をより狭くすると共に中継基板及びシャーシ間の放電を防止することができる光源装置及び該光源装置を備えた映像表示装置を提供することにある。
【００１１】
本発明の他の目的は、発光管を保持する保持具をシャーシに備えるように構成することにより、嵌着凹部から発光管の電極端子が脱落することを防止することができる光源装置及び該光源装置を備えた映像表示装置を提供することにある。
【課題を解決するための手段】
【００１２】
本発明に係る光源装置は、平皿状のシャーシの表側に並置されており、電極端子を有する複数の発光管と、前記シャーシの裏側に配されており、電力を供給して前記発光管を点灯させる点灯回路を有する点灯回路基板とを備える光源装置において、前記複数の発光管の電極端子を夫々嵌着する複数の嵌着凹部を有し、前記複数の発光管及び前記点灯回路基板間を中継ぎして、前記点灯回路から前記発光管へ電力を供給する中継基板を備え、前記シャーシは、前記中継基板を挿通する挿通孔を有しており、前記中継基板及び前記点灯回路基板は、前記挿通孔を挿通した前記中継基板と前記点灯回路基板とを接続する接続部を備えることを特徴とする。
【００１３】
本発明に係る光源装置は、前記発光管は端部に電極端子を有する略円筒状をなし、前記中継基板は略矩形をなし、前記複数の嵌着凹部は前記中継基板の前記表側に並設され、前記接続部は前記中継基板の前記裏側に設けられていることを特徴とする。
【００１４】
本発明に係る光源装置は、前記シャーシは、前記挿通孔を挿通した前記中継基板を係止する係止爪を備え、前記中継基板は、前記係止爪に係止される被係止部を備えることを特徴とする。
【００１５】
本発明に係る光源装置は、前記挿通孔を覆う覆体を備えることを特徴とする。
【００１６】
本発明に係る光源装置は、前記中継基板と前記シャーシとの間に介装された絶縁体を備えることを特徴とする。
【００１７】
本発明に係る光源装置は、前記発光管を保持する保持具を前記シャーシの表側に備えることを特徴とする。
【００１８】
本発明に係る映像表示装置は、上述のいずれか一つの光源装置と、映像を表示する映像表示パネルとを備え、前記光源装置は、前記映像表示パネルを背面側から照明するようにしてあることを特徴とする。
【００１９】
本発明にあっては、接続部が中継基板及び点灯回路基板を接続しており、中継基板を介して点灯回路から発光管へ電力が供給される。
一方、組立工程では、中継基板の嵌着凹部に発光管の電極端子を嵌着するのみで、発光管を中継基板に接続することができる。従って、メスコネクタの配線を電極端子に半田付けする場合に比べて、より効率的に接続することができる。
また、１枚の中継基板を平皿状のシャーシの挿通孔に挿通させ、接続部にて点灯回路及び中継基板を接続することによって、複数の発光管及び点灯回路間を１度に接続することができる。従って、２本の発光管に接続した複数のメスコネクタをシャーシの正面側から背面側へ引き回し、各メスコネクタを複数のオスコネクタに接続する場合に比べて、より効率的に複数の発光管及び点灯回路を接続することができる。
更に、液晶パネルのような映像表示パネルを、上述の光源装置にて照明するように構成した映像表示装置にあっては、光源装置部分を効率的に組み立てることができるため、低コストで効率的に映像表示装置を製造することができる。
【００２０】
本発明にあっては、シャーシが備える係止爪と、中継基板が備える被係止部とが係合した場合、中継基板はシャーシに対して固定される。
【００２１】
本発明にあっては、覆体が挿通孔を覆っている。従って、塵埃がシャーシの挿通孔を通過することはない。
【００２２】
本発明にあっては、絶縁体がシャーシと中継基板との間に介装されている。従って、中継基板及びシャーシ間の距離に関わらず、中継基板とシャーシとは絶縁される。
【００２３】
本発明にあっては、発光管は、シャーシの表側に備えられた保持具によって保持されている。従って、発光管の電極端子が中継基板の嵌着凹部から脱落することを防ぐことができる。
【発明の効果】
【００２４】
本発明によれば、従来の光源装置に比べ、複数の発光管と点灯回路とをより効率的に接続することができる。
また、低コストで効率的に映像表示装置を製造することができる。
【００２５】
本発明によれば、より安定的に中継基板をシャーシに備えることができる。
【００２６】
本発明によれば、塵埃がシャーシの背面側から挿通孔を通じて正面側へ侵入することを防ぐことができ、塵埃による発光むらの発生を防止することができる。
【００２７】
本発明によれば、中継基板及びシャーシの間隔をより狭くすると共に中継基板及びシャーシ間の放電を防止することができる。
【００２８】
本発明によれば、嵌着凹部から発光管の電極端子が脱落することを防止することができる。
【発明を実施するための最良の形態】
【００２９】
以下、本発明をその実施の形態を示す図面に基づいて詳述する。
（実施の形態１）
図１は、本発明の実施の形態１に係るバックライト装置を備えた映像表示装置を模式的に示す斜視図、図２は、映像表示装置の要部を模式的に示す分解斜視図である。図中１は、前後方向に扁平な横長略直方体をなす樹脂製のキャビネットであり、キャビネット１内には映像を表示する映像表示パネル２が収容されている。
【００３０】
キャビネット１は、正面側を構成する前キャビネット１ａ、及び背面側を構成する後キャビネット１ｂからなり、後キャビネット１ｂは前キャビネット１ａにビス止めされている。前キャビネット１ａは、映像表示パネル２の表示面を露出する矩形の開口部１ｃを正面側に有する枠状である。後キャビネット１ｂは、略矩形の背面壁と該背面壁に周設された側壁とからなり、背面壁には、映像表示装置をテレビ台に設置するためのスタンド３が取り付けられている。スタンド３は、背面壁側から下方へ突出した２本の支柱を備えている。支柱の下端には映像表示装置の転倒を防ぐために、横方向外側、斜め前方へ延設された脚部が形成されている。
【００３１】
映像表示パネル２は、略矩形の表示面を有するアスペクト比が１６／９の液晶パネルを備えている。液晶パネルは、スペーサを介して対向配置された略長方形の２枚のガラス基板、及び該ガラス基板に封入された液晶を備えている。正面側のガラス基板の内面には、画素を構成する複数のＲＧＢカラーフィルタが縦横に配列している。背面側のガラス基板の内面には、横方向の走査線及び縦方向の信号線がマトリクス状に配されており、走査線と信号線との交差部分には、各画素に対応した液晶部分に電圧を印可するためのアクティブ素子、例えばＴＦＴ（Thin Film Transistor）が設けられている。各ＴＦＴのゲート電極は走査線に接続され、ソース電極は信号線に接続されている。また、各ガラス基板の外側には偏光フィルムが配されている。
更に、映像表示パネル２の背面側には、光学シート４を介して映像表示パネル２を背面側から照明するエリアライト方式のバックライト装置５（光源装置）が配されている。
【００３２】
図３は、バックライト装置５を模式的に示す斜視図、図４は、バックライト装置５を模式的に示す正面図、図５は、図４のＶ−Ｖ線断面図である。
【００３３】
バックライト装置５は、バックライトシャーシ５０、略円筒状をなす直管型の冷陰極蛍光管５１，…、冷陰極蛍光管５１，…を点灯させるための点灯回路５３ａ、並びに点灯回路５３ａが配設された点灯回路基板５３及び冷陰極蛍光管５１の間を中継ぎし、電力を点灯回路５３ａから冷陰極蛍光管５１，…へ供給する中継基板５４を備えている。
【００３４】
図６は、バックライトシャーシ５０を模式的に示す正面図である。バックライトシャーシ５０は平皿状をなしており、映像表示パネル２と略同一寸法の矩形板状のシャーシ基板５０ａを備えている。シャーシ基板５０ａの表面側には反射シートが配されており、シャーシ基板５０ａの周縁部分にはシャーシ側壁５０ｂが正面側に周設されている。シャーシ基板５０ａの正面側における横方向両端部には、複数の冷陰極蛍光管５１，…を保持する保持具５２を取り付けるための保持具取付孔５０ｅが複数形成されている（図５参照）。
また、シャーシ基板５０ａは、一方の保持具５２（図中左側の保持具５２）よりも横方向外側部分に、中継基板５４を挿通させるための中継基板挿通孔５０ｃを有している。中継基板挿通孔５０ｃは、シャーシ基板５０ａの上下に亘る縦長矩形状である。
更に、中継基板挿通孔５０ｃの内側面の上部及び下部には、前記横方向外側へ突出した中継基板係止爪５０ｄ，５０ｄが形成されている。
【００３５】
保持具５２は、シャーシ基板５０ａの上下に亘る縦長板状の基部５２ａを備えている。基部５２ａのシャーシ基板５０ａ側には、保持具取付孔５０ｅに挿入及び係合して、保持具５２をバックライトシャーシ５０に取り付けるための保持具係合爪５２ｂが突設されている。基部５２ａの正面側には、冷陰極蛍光管５１，…を、長手方向を横方向にして上下方向等間隔で並置されるように保持するクリップ部５２ｃ，…が設けられている。クリップ部５２ｃ，…の正面側はＣ字状に開放しており、冷陰極蛍光管５１，…が押し込まれて嵌着するように弾性部材で形成されている。
【００３６】
冷陰極蛍光管５１，…は、中心軸方向外側へ突出した棒状の電極端子５１ａ，…を両端に備えている。隣り合う２本の冷陰極蛍光管５１，…の一方の電極端子５１ａ，…同士は、配線で接続され、疑似Ｕ字型の蛍光管を構成している。
【００３７】
図７は、点灯回路基板５３を模式的に示す正面図である。点灯回路基板５３は、シャーシ基板５０ａに対して略平行に離隔し、シャーシ基板５０ａの上下方向略中央部、横方向前記一端側に位置するように、シャーシ基板５０ａの背面側に配されている。点灯回路基板５３には、電力を供給して冷陰極蛍光管５１，…を点灯させる点灯回路５３ａが配設されている。また、点灯回路基板５３には、中継基板挿通孔５０ｃを挿通した中継基板５４と点灯回路基板５３とを挿脱可能に基板対基板接続するための点灯回路側接続部５３ｂが前記横方向一端側に配設されている。点灯回路側接続部５３ｂは、前記横方向一端側方向へ突出した複数のオスコンタクト５３ｃを備えている。
より具体的には、オスコンタクト５３ｃは中継基板挿通孔５０ｃから正面側を臨むように突出している。また、オスコンタクト５３ｃの先端部は、該先端部と中継基板挿通孔５０ｃを挿通した中継基板５４とが衝突しないように、正面視で中継基板挿通孔５０ｃの前記横方向一端側よりも内側に位置している。
【００３８】
図８は、中継基板５４を模式的に示す側面図である。中継基板５４は略矩形板状である。中継基板５４の一の長辺側略中央部には点灯回路側接続部５３ｂに挿脱可能に基板対基板接続する中継基板側接続部５４ｂが設けられており、他の長辺側には、各冷陰極蛍光管５１，…の電極端子５１ａ，…を嵌着する嵌着凹部５４ａ，…が上下方向両端に亘って等間隔に並設されている。また、中継基板５４は、中継基板側接続部５４ｂと嵌着凹部５４ａ，…との間を接続する導電線５４ｄを有している。更に、中継基板５４の嵌着凹部５４ａ，…と中継基板側接続部５４ｂとの間には、２本の中継基板係止爪５０ｄ，５０ｄに係止される２つの被係止凹部５４ｅ，５４ｅが形成されている。
【００３９】
なお、中継基板５４の長手方向の幅及び厚みは、中継基板挿通孔５０ｃに挿通できるような寸法である。つまり、中継基板５４の長手方向の幅は中継基板挿通孔５０ｃの縦幅より短く、中継基板５４の厚みは中継基板挿通孔５０ｃの横幅より短い。また、中継基板５４の短辺の幅は、一の長辺側がシャーシ基板５０ａの背面側に位置して点灯回路側接続部５３ｂ及び中継基板側接続部５４ｂが接続し、他の長辺側がシャーシ基板５０ａの正面側に位置して冷陰極蛍光管５１，…の電極端子５１ａ，…を嵌着凹部５４ａ，…に嵌着するために必要な長さを有している。
【００４０】
中継基板側接続部５４ｂは、中継基板挿通孔５０ｃを挿通した中継基板５４を横方向内側へ移動させることにより、点灯回路側接続部５３ｂのオスコンタクト５３ｃが挿通して接続するメスコンタクト５４ｃを横方向内側に備えている。
【００４１】
嵌着凹部５４ａ，…は、側面視が前方後円状であり、正面側が開放するように形成されている。より具体的には、嵌着凹部５４ａ，…の正面側部分は側面視略矩形状、背面側部分は側面視略円形状であり、矩形状部分及び円形状部分は連続している。嵌着凹部５４ａ，…の電極端子５１ａ，…に接触する部分は、導電性物質にてメッキされている。
【００４２】
導電線５４ｄは、中継基板５４の表面に配されており、各嵌着凹部５４ａ，…とメスコンタクト５４ｃとを夫々接続している。
【００４３】
また、バックライト装置５は、図３に示すように冷陰極蛍光管５１，…の両端及び中継基板挿通孔５０ｃを覆うと共に、冷陰極蛍光管５１，…を保持する覆体５５を備えている。
【００４４】
図９は、冷陰極蛍光管５１，…の端部を覆体５５で覆った状態を示す横断面図である。覆体５５は、冷陰極蛍光管５１，…の端部を正面側から覆う縦長矩形の正面覆部と、正面覆部の内側端部から背面側へ斜め内側に屈曲しており、冷陰極蛍光管５１，…に嵌合する切り欠き部分を有する傾斜部分と、正面覆部の外側端部から背面側へ略垂直に屈曲している側壁部とを備えている。また、覆体５５の外側は乳白色のシート材にて被覆されている。
【００４５】
次に、映像表示装置、特にバックライト装置５部分の組立方法を説明する。
【００４６】
図１０は、バックライト装置５の組立工程を示す模式図である。まず、図１０（ａ）に示すように、中継基板５４を、嵌着凹部５４ａ，…が正面側を向き、被係止凹部５４ｅ，５４ｅが横方向内側を向くように、シャーシ基板５０ａの正面側から中継基板挿通孔５０ｃに挿通させる。
【００４７】
次いで、図１０（ｂ）に示すように、中継基板５４を中継基板挿通孔５０ｃに挿通させた状態で横方向内側へ移動させることにより、点灯回路側接続部５３ｂのオスコンタクト５３ｃを、中継基板側接続部５４ｂのメスコンタクト５４ｃに接触させると共に、被係止凹部５４ｅ，５４ｅに中継基板係止爪５０ｄ，５０ｄを係合させる。
【００４８】
次いで、図１０（ｃ）に示すように、冷陰極蛍光管５１，…の電極端子５１ａ，…を嵌着凹部５４ａ，…に嵌着させると共に、冷陰極蛍光管５１，…の周面を保持具５２のクリップ部５２ｃ，…に嵌着させる。
【００４９】
次いで、図９に示すように、冷陰極蛍光管５１，…の電極端子５１ａ，…及び中継基板挿通孔５０ｃを覆体５５にて覆う。
【００５０】
このように構成されたバックライト装置５及び映像表示装置にあっては、従来のバックライト装置に比べ、点灯回路５３ａと冷陰極蛍光管５１，…とをより効率的に接続することができる。
従来のバックライト装置５においては、図１５に示すようにメスコネクタ７の配線を電極端子５１ａ，…に半田付けし、複数のメスコネクタ７を孔部１５０ｃに挿通させ、各メスコネクタ７をバックライトシャーシ１５０の背面側に夫々引き回してオスコネクタ１５３ｂに接続する必要があったが、本発明によれば、図１０に示すように一枚の中継基板５４を中継基板挿通孔５０ｃに挿通させて基板対基板接続し、嵌着凹部５４ａ，…に冷陰極蛍光管５１，…の電極端子５１ａ，…を嵌着させるのみで、バックライトシャーシ５０の背面側に配された点灯回路５３ａと、正面側に並置された複数の冷陰極蛍光管５１，…を接続することができる。
【００５１】
また、バックライトシャーシ５０に突設された中継基板係止爪５０ｄ，５０ｄによって中継基板５４をバックライトシャーシ５０に固定することができるため、より安定的に中継基板５４をバックライトシャーシ５０に備えることができる。
【００５２】
更に、覆体５５が中継基板挿通孔５０ｃを覆っているため、塵埃がシャーシの背面側から正面側へ侵入することを防ぐことができ、塵埃による発光むらの発生を防止することができる。
【００５３】
更にまた、冷陰極蛍光管５１，…は、嵌着凹部５４ａ，…のみならず保持具５２によっても保持されているため、嵌着凹部５４ａ，…から冷陰極蛍光管５１，…の電極端子５１ａ，…が脱落することを効果的に防止することができる。
【００５４】
更にまた、中継基板５４には嵌着凹部５４ａ，…が等間隔に並設されているため、冷陰極蛍光管５１，…の電極端子５１ａ，…を嵌着凹部５４ａ，…に嵌着させることにより、冷陰極蛍光管５１，…が上下方向等間隔に並置されるように位置決めすることができ、輝度むらの発生を防止することができる。
従ってまた、中継基板５４と、冷陰極蛍光管５１，…を位置決めするための位置決め手段とを兼用することができ、低コストで映像表示装置を構成することができる。
更に、中継基板５４と冷陰極蛍光管５１，…との接続作業と、位置決め作業とを同時に行えるため、効率的にバックライト装置５及び映像表示装置を構成することができる。
【００５５】
なお、実施の形態にあっては、保持具を備えることにより、より確実に冷陰極蛍光管の脱落を防止するように構成してあるが、嵌着凹部に電極端子を嵌着させるのみで、冷陰極蛍光管をバックライトシャーシに保持できるのであれば、保持具を備えない構成にしても良い。
この場合、保持具が不要になり、また保持具をバックライトシャーシに取り付ける必要がなくなるため、より低コストで効率的にバックライト装置及び映像表示装置を構成することができる。
【００５６】
また、実施の形態１にあっては、略円筒状の冷陰極蛍光管を並置してなるバックライト装置を説明したが、電極端子を有する冷陰極蛍光管であれば他の形状であっても良い。例えば、Ｕ字型の冷陰極蛍光管を並置するように構成しても良い。
【００５７】
更に、略矩形状の中継基板を説明したが、バックライトシャーシの中継基板挿通孔を挿通し、点灯回路基板及び冷陰極蛍光管間を中継できる形状であれば他の形状であっても良い。例えば、略矩形板状部分の一辺側から外側へ突出した複数の矩形突出部を設け、各矩形突出部の先端部に２つの嵌着凹部を形成するように構成しても良い。
【００５８】
更にまた、中継基板と点灯回路基板とを基板対基板接続するように構成してあるが、中継基板と点灯回路基板とを接続できるのであれば、他の手法で接続するように構成しても良い。
【００５９】
更にまた、実施の形態１にあっては、冷陰極蛍光管の一端側の電極端子のみを中継基板にて点灯回路に接続する構成を説明したが、冷陰極蛍光管の両端の電極端子を夫々中継基板にて接続するように構成しても良い。
【００６０】
図１１は、変形例に係るバックライト装置５を模式的に示す正面図である。変形例に係るバックライト装置５は、冷陰極蛍光管５１，…の一端側の電極端子５１ａ，…を点灯回路に接続する一の中継基板５４と、冷陰極蛍光管５１，…の他端側の電極端子５１ａ，…を点灯回路に接続する他の中継基板５４とを備えている。
バックライトシャーシ５０を構成するシャーシ基板５０ａの横方向両端側には、各中継基板５４，５４が挿通する中継基板挿通孔５０ｃ，５０ｃが夫々形成されている。
中継基板５４，５４は、各中継基板挿通孔５０ｃ，５０ｃを挿通して、図示しない点灯回路基板に基板対基板接続している。また、中継基板５４，５４には、冷陰極蛍光管５１，…の電極端子５１ａ，…が嵌着している。
【００６１】
このように構成された変形例に係るバックライト装置５にあっては、冷陰極蛍光管の電極端子同士の半田接続も不要になるため、より効率的にバックライト装置を構成することができる。
なお、冷陰極蛍光管の両端側の電極端子を夫々点灯回路に接続する場合を説明したが、隣り合う２本の冷陰極蛍光管の他端側の電極端子同士が接続されるように中継基板を構成しても良い。
【００６２】
（実施の形態２）
図１２は、実施の形態２に係るバックライト装置５を備えた映像表示装置の要部を示す横断面図である。実施の形態２に係るバックライト装置５は、中継基板５４とバックライトシャーシ５０との間に介装された絶縁体５６を備えている点が実施の形態１に係るバックライト装置５と異なるため、以下では主に上記相違点について説明する。
【００６３】
絶縁体５６は、絶縁性の弾性部材、例えばシリコンゴム又はプラスチックからなり、中継基板５４の横方向外側及び内側、並びに上端部及び下端部を囲繞する筒状である。また、絶縁体５６の前後方向の幅は、導電線５４ｄを覆うために必要な長さを有している。
【００６４】
実施の形態２に係るバックライト装置５及び映像表示装置にあっては、中継基板５４及びシャーシ基板５０ａ間を絶縁体５６によって絶縁することにより、中継基板５４及びシャーシ間で放電が生ずることを防止することができる。
【００６５】
実施の形態２に係るバックライト装置５及び映像表示装置の他の構成、作用及び効果は、実施の形態１に係るバックライト装置５及び映像表示装置の構成、作用及び効果と同様であるため、対応する箇所には同様の符号を付してその詳細な説明を省略する。
【００６６】
（実施の形態３）
図１３は、実施の形態３に係るバックライト装置５を備えた映像表示装置の要部を示す横断面図である。実施の形態３に係るバックライト装置５は、覆体３５５の形状のみが実施の形態２に係るバックライト装置５と異なるため、以下では主に上記相違点について説明する。
【００６７】
覆体３５５は、冷陰極蛍光管５１，…の端部を正面側から覆う縦長矩形の正面覆部３５５ａと、正面覆部３５５ａの内側端部から背面側へ斜め内側に屈曲しており、冷陰極蛍光管５１，…に嵌合する切り欠き部分を有する傾斜部分３５５ｂと、正面覆部３５５ａの外側端部から背面側へ略垂直に屈曲している側壁部３５５ｃとを備えている。また、覆体３５５の外側は乳白色のシート材にて被覆されている。
【００６８】
正面覆部３５５ａの内面には、中継基板５４を挟持すると共に、電極端子５１ａが正面側へ移動することを係止する絶縁性の第１電極端子係止突起３５５ｄ及び第２電極端子係止突起３５５ｅが設けられている。第１電極端子係止突起３５５ｄは、シャーシ側壁５０ｂに対して略平行な板状をなし、電極端子５１ａの根本部分に正面側から当接するように正面覆部３５５ａの内面から突出している。第２電極端子係止突起３５５ｅは、シャーシ側壁５０ｂに対して略平行であり、電極端子５１ａの先端部分に正面側から当接するように正面覆部３５５ａの内面から突出した板状部分を備えている。該板状部分の外側端部には、背面側へ延設された板状部分が設けられている。
【００６９】
実施の形態３に係るバックライト装置５及び映像表示装置にあっては、第１電極端子係止突起３５５ｄ及び第２電極端子係止突起３５５ｅが電極端子５１ａの移動を係止するため、嵌着凹部５４ａ，…から冷陰極蛍光管５１，…の電極端子５１ａが脱落することを確実に防止することができる。
【００７０】
また、複数の第１電極端子係止突起３５５ｄ及び第２電極端子係止突起３５５ｅにて電極端子５１ａの移動を係止しているため、単一の電極端子係止突起にて移動を係止する場合に比べて、より安定的に電極端子５１ａを嵌着凹部５４ａ，…に保持させることができる。
【００７１】
更に、中継基板５４は第１電極端子係止突起３５５ｄ及び第２電極端子係止突起３５５ｅにて挟持されているため、中継基板５４が横方向へ移動して点灯回路基板５３から外れることを防止することができる。
【００７２】
なお、実施の形態３にあっては、第１電極端子係止突起及び第２電極端子係止突起を備えているが、いずれか一つを備えるように構成しても良い。
【００７３】
実施の形態３に係るバックライト装置５及び映像表示装置の他の構成、作用及び効果は、実施の形態１及び実施の形態２に係るバックライト装置５及び映像表示装置の構成、作用及び効果と同様であるため、対応する箇所には同様の符号を付してその詳細な説明を省略する。
【図面の簡単な説明】
【００７４】
【図１】本発明の実施の形態１に係るバックライト装置を備えた映像表示装置を模式的に示す斜視図である。
【図２】映像表示装置の要部を模式的に示す分解斜視図である。
【図３】バックライト装置を模式的に示す斜視図である。
【図４】バックライト装置を模式的に示す正面図である。
【図５】図４のＶ−Ｖ線断面図である。
【図６】バックライトシャーシを模式的に示す正面図である。
【図７】点灯回路基板を模式的に示す正面図である。
【図８】中継基板を模式的に示す側面図である。中継基板は略矩形板状である。
【図９】冷陰極蛍光管の端部を覆体で覆った状態を示す横断面図である。
【図１０】バックライト装置の組立工程を示す模式図である。
【図１１】変形例に係るバックライト装置を模式的に示す正面図である。
【図１２】実施の形態２に係るバックライト装置を備えた映像表示装置の要部を示す横断面図である。
【図１３】実施の形態３に係るバックライト装置を備えた映像表示装置の要部を示す横断面図である。
【図１４】従来のバックライト装置を模式的に示す正面図である。
【図１５】従来のバックライト装置の組立工程を示す模式図である。
【符号の説明】
【００７５】
１  キャビネット
２  映像表示パネル
３  スタンド
４  光学シート
５  バックライト装置
５０  バックライトシャーシ
５０ｃ  中継基板挿通孔
５０ｄ  中継基板係止爪
５１  冷陰極蛍光管
５１ａ  電極端子
５２  保持具
５３  点灯回路基板
５３ａ  点灯回路
５３ｂ  点灯回路側接続部
５４  中継基板
５４ａ  嵌着凹部
５４ｂ  中継基板側接続部
５４ｄ  導電線
５４ｅ  被係止凹部
５５  覆体
５６  絶縁体
【図１】
2008135226.tif 000003
【図２】
2008135226.tif 000004
【図３】
2008135226.tif 000005
【図４】
2008135226.tif 000006
【図５】
2008135226.tif 000007
【図６】
2008135226.tif 000008
【図７】
2008135226.tif 000009
【図８】
2008135226.tif 000010
【図９】
2008135226.tif 000011
【図１０】
2008135226.tif 000012
【図１１】
2008135226.tif 000013
【図１２】
2008135226.tif 000014
【図１３】
2008135226.tif 000015
【図１４】
2008135226.tif 000016
【図１５】
2008135226.tif 000017